(57)【要約】【課題】従来、無線通信回線の提供者に対して、利益を与えることが困難であった。【解決手段】無線通信回線を用いて通信を行える無線通信部と、無線通信回線に関する情報であり、無線通信回線を識別する回線識別子を有する１または２以上の回線情報を受信する回線情報受信部と、受信された１以上の各回線情報に対応する１以上の選択対象であり、回線を選択するための１以上の選択対象を出力する選択対象出力部と、１以上の選択対象のうちの一の選択対象の選択を受け付ける受付部と、一の選択対象に対応する回線提供者に利益を与える処理を行う処理部と、処理部による処理の全部または一部を行った後、一の選択対象に対応する回線情報に含まれる回線識別子で識別される無線通信回線を用いた無線通信を可能とするように無線通信部を制御する通信制御部とを具備する無線通信装置により、無線通信回線の提供者に対して、利益を与えることができる。【選択図】図２
2015032187.tif 000002
【特許請求の範囲】
【請求項１】
無線通信回線を用いて通信を行える無線通信部と、
無線通信回線に関する情報であり、無線通信回線を識別する回線識別子を有する１または２以上の回線情報を受信する回線情報受信部と、
前記回線情報受信部が受信した１以上の各回線情報に対応する１以上の選択対象であり、回線を選択するための１以上の選択対象を出力する選択対象出力部と、
前記１以上の選択対象のうちの一の選択対象の選択を受け付ける受付部と、
一の選択対象に対応する回線提供者に利益を与える処理を行う処理部と、
前記処理部による処理の全部または一部を行った後、前記一の選択対象に対応する回線情報に含まれる回線識別子で識別される無線通信回線を用いた無線通信を可能とするように、前記無線通信部を制御する通信制御部とを具備する無線通信装置。
【請求項２】
前記処理部は、
前記一の選択対象に対応する情報である第一選択対象情報を受信する第一受信手段と、
前記第一受信手段が受信した第一選択対象情報を出力する第一出力手段とを具備する請求項１記載の無線通信装置。
【請求項３】
前記回線情報は、
当該回線情報が有する回線識別子で識別される無線通信回線を使用可能とするためのパスワードを含み、
前記通信制御部は、
前記選択された一の選択対象に対応する回線情報に含まれるパスワードを取得し、当該パスワードを用いて、前記一の選択対象に対応する回線情報に含まれる回線識別子で識別される無線通信回線を用いた無線通信を可能とするように、前記無線通信部を制御する請求項２記載の無線通信装置。
【請求項４】
前記受付部は、
無線通信回線の切断の指示である切断指示をも受け付け、
前記処理部は、
前記受付部が切断指示を受け付けた場合に、前記一の選択対象に対応する情報である第二選択対象情報を受信する第二受信手段と、
前記第二受信手段が受信した第二選択対象情報を出力する第二出力手段とを具備し、
前記通信制御部は、
前記受付部が受け付けた切断指示に応じて、前記一の選択対象に対応する回線情報に含まれる回線識別子で識別される無線通信回線を切断するように、前記無線通信部を制御する請求項１から請求項３いずれか記載の無線通信装置。
【請求項５】
前記通信制御部は、
前記第二出力手段が前記第二選択対象情報を出力した後に、前記受付部が受け付けた切断指示に応じて、前記一の選択対象に対応する回線情報に含まれる回線識別子で識別される無線通信回線を切断するように、前記無線通信部を制御する請求項４記載の無線通信装置。
【請求項６】
前記受付部は、
ユーザからの情報の入力を受け付け、
前記処理部は、
前記第二出力手段が前記第二選択対象情報を出力した後に、前記受付部が受け付けた情報をサーバ装置に送信する入力情報送信手段をさらに具備し、
ユーザから前記情報を受け付けたこと、またはユーザから前記情報を受け付けていないことを示す情報であるフラグを蓄積するフラグ蓄積部とをさらに具備し、
前記通信制御部は、
前記フラグ蓄積部が蓄積した情報に応じて、無線通信回線を利用可能としたり、利用可能としなかったりする請求項４または請求項５記載の無線通信装置。
【請求項７】
ユーザに関する情報であるユーザ情報を格納し得るユーザ情報格納部をさらに具備し、
前記処理部は、
前記受付部が前記一の選択対象の選択を受け付けた後に、前記ユーザ情報を送信するユーザ情報送信手段を具備する請求項１から請求項６いずれか一項に記載の無線通信装置。
【請求項８】
地図情報を格納し得る地図情報格納部と、
前記地図情報を出力する地図情報出力部とをさらに具備し、
前記回線情報は、
当該回線情報に含まれる回線識別子で識別される回線に対応する位置に関する位置情報を有し、
前記受付部は、
前記地図情報に対する領域を特定する指示である領域指示をも受け付け、
前記選択対象出力部は、
前記領域指示に対応する領域に含まれる位置情報を有する１以上の回線情報に対応する１以上の選択対象を出力する請求項１から請求項７いずれか一項に記載の無線通信装置。
【請求項９】
前記第一選択対象情報は、
無線通信回線を提供する店舗に関する広告情報である請求項１から請求項８いずれか一項に記載の無線通信装置。
【請求項１０】
前記第二選択対象情報は、
アンケートを構成するアンケート情報であり、
前記受付部がユーザから受け付ける情報は、
アンケートの回答である請求項１から請求項９いずれか一項に記載の無線通信装置。
【請求項１１】
無線通信部、回線情報受信部、選択対象出力部、受付部、処理部、および通信制御部により実現され得る無線通信方法であって、
前記無線通信部は、無線通信回線を用いて通信を行える無線通信ステップと、
前記回線情報受信部は、無線通信回線に関する情報であり、無線通信回線を識別する回線識別子を有する１または２以上の回線情報を受信する回線情報受信ステップと、
前記選択対象出力部は、前記回線情報受信ステップで受信された１以上の各回線情報に対応する１以上の選択対象であり、回線を選択するための１以上の選択対象を出力する選択対象出力ステップと、
前記受付部は、前記１以上の選択対象のうちの一の選択対象の選択を受け付ける受付ステップと、
前記処理部は、一の選択対象に対応する回線提供者に利益を与える処理を行う処理ステップと、
前記通信制御部は、前記処理部による処理の全部または一部を行った後、前記一の選択対象に対応する回線情報に含まれる回線識別子で識別される無線通信回線を用いた無線通信を可能とするように制御する通信制御ステップとを具備する無線通信方法。
【請求項１２】
コンピュータを、
無線通信回線を用いて通信を行える無線通信部と、
無線通信回線に関する情報であり、無線通信回線を識別する回線識別子を有する１または２以上の回線情報を受信する回線情報受信部と、
前記回線情報受信部が受信した１以上の各回線情報に対応する１以上の選択対象であり、回線を選択するための１以上の選択対象を出力する選択対象出力部と、
前記１以上の選択対象のうちの一の選択対象の選択を受け付ける受付部と、
一の選択対象に対応する回線提供者に利益を与える処理を行う処理部と、
前記処理部による処理の全部または一部を行った後、前記一の選択対象に対応する回線情報に含まれる回線識別子で識別される無線通信回線を用いた無線通信を可能とするように、前記無線通信部を制御する通信制御部として機能させるためのプログラム。
【発明の詳細な説明】
【技術分野】
【０００１】
本発明は、データ通信を行う無線通信装置等に関するものである。
【背景技術】
【０００２】
ＷｉＦｉによる公衆無線ＬＡＮサービスが普及してきた（例えば、非特許文献１参照）。また、無料のＷｉＦｉでの無線ＬＡＮサービスも行われている。
【先行技術文献】
【非特許文献】
【０００３】
【非特許文献１】ｄｏｃｏｍｏ  Ｗｉ−Ｆｉ、［online］、［平成２５年６月１８日検索］、インターネット［URL：http://www.nttdocomo.co.jp/service/data/docomo_wifi/］
【発明の概要】
【発明が解決しようとする課題】
【０００４】
しかしながら、従来の無線ＬＡＮサービスにおいては、集客できる可能性があることを除いて、無線通信回線を提供する提供者に対して、利益を与えることが困難であった。
【課題を解決するための手段】
【０００５】
本第一の発明の無線通信装置は、無線通信回線を用いて通信を行える無線通信部と、無線通信回線に関する情報であり、無線通信回線を識別する回線識別子を有する１または２以上の回線情報を受信する回線情報受信部と、回線情報受信部が受信した１以上の各回線情報に対応する１以上の選択対象であり、回線を選択するための１以上の選択対象を出力する選択対象出力部と、１以上の選択対象のうちの一の選択対象の選択を受け付ける受付部と、一の選択対象に対応する回線提供者に利益を与える処理を行う処理部と、処理部による処理の全部または一部を行った後、一の選択対象に対応する回線情報に含まれる回線識別子で識別される無線通信回線を用いた無線通信を可能とするように、無線通信部を制御する通信制御部とを具備する無線通信装置である。
【０００６】
かかる構成により、無線通信回線を提供する提供者に対して、利益を与えることができる。
【０００７】
また、本第二の発明の無線通信装置は、第一の発明に対して、処理部は、一の選択対象に対応する情報である第一選択対象情報を受信する第一受信手段と、第一受信手段が受信した第一選択対象情報を出力する第一出力手段とを具備する無線通信装置である。
【０００８】
かかる構成により、無線通信回線を提供する提供者に対して、利益を与えることができる。
【０００９】
また、本第三の発明の無線通信装置は、第二の発明に対して、回線情報は、回線情報が有する回線識別子で識別される無線通信回線を使用可能とするためのパスワードを含み、通信制御部は、選択された一の選択対象に対応する回線情報に含まれるパスワードを取得し、パスワードを用いて、一の選択対象に対応する回線情報に含まれる回線識別子で識別される無線通信回線を用いた無線通信を可能とするように、無線通信部を制御する無線通信装置である。
【００１０】
かかる構成により、無線通信回線を利用する際に、ユーザは、パスワードを入力する必要がなく、無線通信回線を容易に利用できる。
【００１１】
また、本第四の発明の無線通信装置は、第一から第三いずれかの発明に対して、受付部は、無線通信回線の切断の指示である切断指示をも受け付け、処理部は、受付部が切断指示を受け付けた場合に、一の選択対象に対応する情報である第二選択対象情報を受信する第二受信手段と、第二受信手段が受信した第二選択対象情報を出力する第二出力手段とを具備し、通信制御部は、受付部が受け付けた切断指示に応じて、一の選択対象に対応する回線情報に含まれる回線識別子で識別される無線通信回線を切断するように、無線通信部を制御する無線通信装置である。
【００１２】
かかる構成により、無線通信回線を提供する提供者に対して、利益を与えることができる。
【００１３】
また、本第五の発明の無線通信装置は、第四の発明に対して、通信制御部は、第二出力手段が第二選択対象情報を出力した後に、受付部が受け付けた切断指示に応じて、一の選択対象に対応する回線情報に含まれる回線識別子で識別される無線通信回線を切断するように、無線通信部を制御する無線通信装置である。
【００１４】
かかる構成により、無線通信回線を提供する提供者に対して、利益を与えることができる。
【００１５】
また、本第六の発明の無線通信装置は、第四または第五の発明に対して、受付部は、ユーザからの情報の入力を受け付け、処理部は、第二出力手段が第二選択対象情報を出力した後に、受付部が受け付けた情報をサーバ装置に送信する入力情報送信手段をさらに具備し、ユーザから情報を受け付けたこと、またはユーザから情報を受け付けていないことを示す情報であるフラグを蓄積するフラグ蓄積部とをさらに具備し、通信制御部は、フラグ蓄積部が蓄積した情報に応じて、無線通信回線を利用可能としたり、利用可能としなかったりする無線通信装置である。
【００１６】
かかる構成により、無線通信回線を提供する提供者に対して、利益を与えることができる。
【００１７】
また、本第七の発明の無線通信装置は、第一から第六いずれかの発明に対して、ユーザに関する情報であるユーザ情報を格納し得るユーザ情報格納部をさらに具備し、処理部は、受付部が一の選択対象の選択を受け付けた後に、ユーザ情報を送信するユーザ情報送信手段を具備する無線通信装置である。
【００１８】
かかる構成により、無線通信回線を提供する提供者はユーザ情報を得ることができ、利益を得ることができる。
【００１９】
また、本第八の発明の無線通信装置は、第一から第七いずれかの発明に対して、地図情報を格納し得る地図情報格納部と、地図情報を出力する地図情報出力部とをさらに具備し、回線情報は、回線情報に含まれる回線識別子で識別される回線に対応する位置に関する位置情報を有し、受付部は、地図情報に対する領域を特定する指示である領域指示をも受け付け、選択対象出力部は、領域指示に対応する領域に含まれる位置情報を有する１以上の回線情報に対応する１以上の選択対象を出力する無線通信装置である。
【００２０】
かかる構成により、使用したい無線通信回線を容易に指定できる。
【００２１】
また、本第九の発明の無線通信装置は、第一から第八いずれかの発明に対して、第一選択対象情報は、無線通信回線を提供する店舗に関する広告情報である無線通信装置である。
【００２２】
かかる構成により、ユーザに広告を見せることにより、無線通信回線の提供側にメリットを与えることができる。
【００２３】
また、本第十の発明の無線通信装置は、第一から第九いずれかの発明に対して、第二選択対象情報は、アンケートを構成するアンケート情報であり、受付部がユーザから受け付ける情報は、アンケートの回答である無線通信装置である。
【００２４】
かかる構成により、無線通信回線の提供側に、ユーザによるアンケートの回答を提供できる。
【発明の効果】
【００２５】
本発明による無線通信装置によれば、無線通信回線を提供する提供者に対して、利益を与えることができる。
【図面の簡単な説明】
【００２６】
【図１】実施の形態１における情報システムの概念図
【図２】同情報システムのブロック図
【図３】同無線通信装置１の動作について説明するフローチャート
【図４】同利益享受処理について説明するフローチャート
【図５】同サーバ装置２の動作について説明するフローチャート
【図６】同アクセスポイント３の動作について説明するフローチャート
【図７】同回線情報の例を示す図
【図８】同対象情報管理表を示す図
【図９】同ユーザ利用情報管理表を示す図
【図１０】同選択対象出力部は出力した選択対象の例を示す図
【図１１】同第一選択対象情報の例を示す図
【図１２】同ユーザ情報のサーバ装置２への送信の許可を得る画面示す図
【図１３】同アンケート情報の例を示す図
【図１４】同アンケート管理表を示す図
【図１５】同コンピュータシステムのブロック図
【発明を実施するための形態】
【００２７】
以下、情報システム、無線通信装置等の実施形態について図面を参照して説明する。なお、実施の形態において同じ符号を付した構成要素は同様の動作を行うので、再度の説明を省略する場合がある。
【００２８】
（実施の形態１）
本実施の形態において、ユーザが、１以上のデータ通信用の無線通信回線の情報を取得し、選択した場合に、回線使用が可能になるとともに、当該無線通信回線の提供者に利益になる処理を行う情報システムについて説明する。なお、利益になる処理は、例えば、ユーザの端末装置である無線通信装置に、無線通信回線の提供者の広告を出力する処理、またはユーザプロファイル等のユーザ情報をサーバ装置等に送信する処理、またはアンケートの回答をサーバ装置等に送信する処理等である。なお、サーバ装置等に送信された情報は、通常、無線通信回線の提供者が利用し得る。
【００２９】
また、本実施の形態において、ユーザの無線通信装置は、ユーザが選択した回線に対応するパスワードを自動取得し、回線に接続する機能を有する。
【００３０】
また、本実施の形態において、アンケートに答えなければ、次の通信回線利用の機会に、通信回線を利用できないようにする情報システムについて説明する。
【００３１】
さらに、本実施の形態において、地図領域の指示により、回線選択用メニューを自動生成し、出力する情報システムについて説明する。
【００３２】
図１は、本実施の形態における情報システムの概念図である。情報システムは、１以上の無線通信装置１、１以上のサーバ装置２、および無線通信回線の利用のための２以上の無線通信アクセスポイント３を備える。無線通信アクセスポイント３は、以下、アクセスポイント３と言う。また、無線通信装置１は、例えば、いわゆるスマートフォン、パソコン、携帯電話、タブレット端末等である。
【００３３】
図２は、本実施の形態における情報システムを構成する無線通信装置１とサーバ装置２とアクセスポイント３のブロック図である。
【００３４】
無線通信装置１は、ユーザ情報格納部１１、地図情報格納部１２、受付部１３、無線通信部１４、回線情報受信部１５、地図情報出力部１６、選択対象出力部１７、処理部１８、フラグ蓄積部１９、通信制御部２０を備える。
【００３５】
無線通信装置１を構成する処理部１８は、第一受信手段１８１、第一出力手段１８２、第二受信手段１８３、第二出力手段１８４、ユーザ情報送信手段１８５、入力情報送信手段１８６を備える。
【００３６】
また、サーバ装置２は、サーバ格納部２１、サーバ受信部２２、サーバ処理部２３、サーバ送信部２４を備える。
【００３７】
さらに、アクセスポイント３は、情報格納部３１、情報送信部３２、および情報受信部３３を備える。
【００３８】
無線通信装置１を構成するユーザ情報格納部１１は、ユーザに関する情報であるユーザ情報を格納し得る。ユーザ情報は、例えば、ユーザプロファイル情報である。また、ユーザ情報は、例えば、ユーザＩＤ、性別、年齢または年代、住所または居住地、趣味、お店の利用回数、ＷｉＦｉ利用回数などを有する。なお、お店の利用回数は、お店が提供する通信回線の利用回数でも良い。また、ＷｉＦｉ利用回数は、全無線通信回線の利用回数の合計でも良い。
【００３９】
地図情報格納部１２は、地図情報を格納し得る。地図情報は、例えば、地点を示す１以上の地点情報を有する。当該地点は、通常、地図上の地点である。また、当該地点の種類は、問わない。当該地点は、例えば、観光名所や、公園、テーマパーク、ランドマーク、駅などである。また、地点情報は、少なくとも、地点の位置を示す位置情報を有する。当該位置は、通常、経緯度である。また、当該位置は、例えば、高度（高さ）を含んでもよい。また、地点情報は、例えば、地点情報を識別する識別子や、地点の名称を示す名称情報、地点の種類を示す種類情報などを有していてもよい。当該「種類」は、例えば、「ジャンル」や、「カテゴリ」などと呼んでもよい。また、種類情報は、１以上の地点情報を１以上のグループに分類することができる情報であれば、その内容や形式などは、問わない。種類情報は、例えば、「観光名所」や、「テーマパーク」、「ランドマーク」などである。
【００４０】
また、地図情報は、例えば、道路を示す１以上の道路情報を有する。当該道路は、通常、地図上の道路である。また、当該道路の種類は、問わない。当該道路の種類は、例えば、高速道路や、一般道路、国道、県道などである。また、道路情報は、例えば、道路を識別する道路識別子や、道路の制限速度（法定速度）を示す制限速度情報、道路の始点の位置を示す始点位置情報、道路の終点の位置を示す終点位置情報、道路の経由地の位置を示す経由位置情報、接続している道路を識別する接続道路識別子、道路の始点から終点までの距離を示す距離情報などを有する。道路識別子は、例えば、任意のＩＤや、道路の名称などである。起点位置情報、終点位置情報、経由位置情報は、位置情報である。
【００４１】
受付部１３は、指示や情報等を受け付ける。受付部１３は、通常、ユーザから指示や情報を受け付ける。指示は、例えば、１以上の選択対象のうちの一の選択対象の選択である。ここで、選択は、例えば、ユーザの指示による選択である。また、指示は、例えば、無線通信回線の切断の指示である切断指示である。また、指示は、例えば、地図情報を出力する指示である地図情報出力指示である。また、指示は、例えば、地図情報に対する領域を特定する指示である領域指示である。さらに、指示は、例えば、リカバリー指示である。リカバリー指示とは、無線通信回線を利用できない場合に、回線を利用できるようにする処理を行なう指示である。なお、リカバリー指示は、例えば、回線を利用できないことを示すエラーメッセージの出力に対して、入力される指示である。
【００４２】
さらに、受付部１３は、ユーザからの情報の入力を受け付ける。ここで、情報の入力とは、通常、第二選択対象情報の出力後に、当該第二選択対象情報に対応する情報の入力である。さらに具体的には、例えば、第二選択対象情報がアンケートを構成するための情報であり、入力される情報は、アンケートの回答である。
【００４３】
なお、上記において、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００４４】
指示や情報等の入力手段は、キーボードやマウスやタッチパネルやメニュー画面によるもの等、何でも良い。受付部１３は、キーボード等の入力手段のデバイスドライバーや、メニュー画面の制御ソフトウェア等で実現され得る。
【００４５】
無線通信部１４は、無線通信回線を用いて通信を行う。ここで、無線通信回線とは、通常、無線ＬＡＮの回線であり、例えば、ＷｉＦｉの回線等である。なお、無線ＬＡＮの企画は、ＩＥＥＥ８０２．１１ｂ、ＩＥＥＥ８０２．１１ａ、ＩＥＥＥ８０２．１１ｇ、ＩＥＥＥ８０２．１１ｎ等、問わない。
【００４６】
回線情報受信部１５は、１または２以上の回線情報を受信する。回線情報とは、無線通信回線に関する情報であり、無線通信回線を識別する回線識別子を有する情報である。回線情報受信部１５は、通常、１以上のアクセスポイント３から、回線情報を受信する。ただし、回線情報受信部１５は、１以上のサーバ装置２から回線情報を受信しても良い。（正しいでしょうか？）
【００４７】
また、回線情報受信部１５は、領域指示に含まれる位置情報に対応する１以上のアクセスポイント３から、回線情報を受信しても良い。（正しいでしょうか？）
【００４８】
ここで、回線識別子とは、回線ＩＤ、回線を識別する名称等である。回線識別子は、無線通信回線を提供する店舗等の回線提供者を識別する情報でも良い。また、回線情報は、通常、第一選択対象情報等の情報を送信するサーバ装置２にアクセスするためのサーバ通信先情報を有する。ここで、サーバ通信先情報は、サーバ装置２のＩＰアドレス、ＭＡＣアドレス等である。回線識別子で識別される無線通信回線を使用可能とするためのパスワードを含むことは好適である。また、回線情報とは、回線情報に含まれる回線識別子で識別される回線に対応する位置に関する位置情報を有することは好適である。
【００４９】
地図情報出力部１６は、地図情報を出力する。地図情報出力部１６は、通常、受付部１３が地図情報出力指示を受け付けた場合に、地図情報格納部１２から地図情報を読み出し、当該地図情報を出力する。なお、地図情報出力部１６は、現在の位置情報を含む地図情報を地図情報格納部１２から地図情報を読み出し、出力することは好適である。ここで、現在の位置情報は、図示しない手段または地図情報出力部１６が取得する。また、かかる場合、図示しない手段または地図情報出力部１６は、ＧＰＳ受信機等の位置情報を取得する手段を含む。ここで、出力とは、通常、ディスプレイへの表示、プロジェクターを用いた投影であるが、外部の装置への送信、他の処理装置や他のプログラムなどへの処理結果の引渡し等を含む概念である。
【００５０】
選択対象出力部１７は、１または２以上の選択対象を出力する。選択対象とは、回線情報受信部１５が受信した１以上の各回線情報に対応する情報であり、ユーザが選択し得る情報である。この選択は、回線の選択である。また、選択対象は、通常、メニュー項目であるが、ボタン等の選択可能なオブジェクト等であれば良い。また、１以上の選択対象を有する画面を回線選択用画面と言っても良い。
【００５１】
また、選択対象出力部１７は、受付部１３が受け付けた領域指示に対応する領域に含まれる位置情報を有する１以上の回線情報に対応する１以上の選択対象を出力しても良い。（正しいでしょうか？）
【００５２】
処理部１８は、一の選択対象に対応する回線提供者に利益を与える処理を行う。回線提供者に利益を与える処理は、種々あり得る。回線提供者に利益を与える処理は、例えば、無線通信装置１に広告情報を出力するための処理である。なお、広告情報は、通常、回線提供者を宣伝広告する情報である。また、回線提供者に利益を与える処理は、例えば、無線通信装置１を利用するユーザのユーザ情報を取得するための処理である。また、回線提供者に利益を与える処理は、例えば、無線通信装置１を利用するユーザからアンケートの回答を得るための処理である。さらに、回線提供者に利益を与える処理は、例えば、無線通信装置１を利用するユーザに、回線提供者が販売する商品やサービスの販売促進のための処理である。なお、販売促進のための処理は、無線通信装置１を利用するユーザに対して、商品等の販売のためのＷｅｂページのＵＲＩ（ＵＲＬを含む）を通知する処理、商品等の販売のための宣伝広告のメールを送信する処理等である。
【００５３】
第一受信手段１８１は、一の選択対象に対応する情報である第一選択対象情報を受信する。第一選択対象情報は、例えば、選択対象に関連する広告情報である。さらに具体的には、第一選択対象情報は、無線通信回線を提供する店舗等に関する広告情報である。また、第一選択対象情報は、例えば、選択対象の無線通信回線を提供する店舗等の周辺の環境情報、選択対象の周辺の防犯情報、災害情報、天気、気温等の情報でも良い。ここで、第一受信手段１８１は、通常、サーバ装置２から第一選択対象情報を受信する。しかし、第一受信手段１８１は、アクセスポイント３から第一選択対象情報を受信しても良い。（正しいでしょうか？）なお、第一選択対象情報を送信するサーバ装置２は、選択対象ごとに異なっていても良いし、２以上の選択対象に対応した一のサーバ装置２であっても良い。
【００５４】
第一出力手段１８２は、第一受信手段１８１が受信した第一選択対象情報を出力する。
【００５５】
第二受信手段１８３は、受付部１３が切断指示を受け付けた場合に、一の選択対象に対応する情報である第二選択対象情報を受信する。第二受信手段１８３は、通常、第二選択対象情報をサーバ装置２から受信する。第二受信手段１８３は、受付部１３がリカバリー指示を受け付けた場合に、一の選択対象に対応する情報である第二選択対象情報を受信する。なお、この一の選択対象は、通常、最近に選択された一の選択対象である。また、第二選択対象情報は、例えば、アンケートを構成するアンケート情報である。第二選択対象情報は、例えば、広告等でも良い。
【００５６】
第二出力手段１８４は、第二受信手段１８３が受信した第二選択対象情報を出力する。
【００５７】
ユーザ情報送信手段１８５は、受付部１３が一の選択対象の選択を受け付けた後に、ユーザ情報を送信する。ユーザ情報送信手段１８５は、通常、ユーザ情報をサーバ装置２に送信する。
【００５８】
入力情報送信手段１８６は、第二出力手段１８４が第二選択対象情報を出力した後に、受付部１３が受け付けた情報を送信する。入力情報送信手段１８６は、通常、受付部１３が受け付けた情報を、サーバ装置２に送信する。受け付けた情報は、通常、予め決められた構成を有する。受け付けた情報は、例えば、アンケートの各項目に対する回答の情報である。
【００５９】
フラグ蓄積部１９は、ユーザから情報を受け付けたこと、またはユーザから情報を受け付けていないことを示す情報であるフラグを蓄積する。フラグ蓄積部１９は、受付部１３が情報を受け付けた場合に、ユーザから情報を受け付けた旨を示すフラグを蓄積することは好適である。ただし、フラグ蓄積部１９は、受付部１３が情報を受け付ける前に、ユーザから情報を受け付けていないことを示すフラグを蓄積しても良い。そして、フラグ蓄積部１９は、受付部１３が情報を受け付けた場合に、当該フラグを削除する、またはユーザから情報を受け付けた旨を示すフラグを上書きしても良い。なお、上記の情報は、例えば、アンケートへの回答である。つまり、フラグは、例えば、アンケートへの回答が入力されたか否かを示す情報である。また、フラグの蓄積先は、通常、無線通信装置１が有する記憶媒体であるが、外部の装置（例えば、サーバ装置２）でも良い。
【００６０】
通信制御部２０は、処理部１８による処理の全部または一部を行った後、一の選択対象に対応する回線情報に含まれる回線識別子で識別される無線通信回線を用いた無線通信を可能とするように、無線通信部１４を制御する。
【００６１】
また、通信制御部２０は、選択された一の選択対象に対応する回線情報に含まれるパスワードを取得し、当該パスワードを用いて、一の選択対象に対応するアクセスポイント３にアクセスし、一の選択対象に対応する回線情報に含まれる回線識別子で識別される無線通信回線を用いた無線通信を可能とするように、無線通信部１４を制御することは好適である。
【００６２】
また、通信制御部２０は、受付部１３が受け付けた切断指示に応じて、一の選択対象に対応する回線情報に含まれる回線識別子で識別される無線通信回線を切断するように、無線通信部１４を制御する。
【００６３】
また、通信制御部２０は、第二出力手段１８４が第二選択対象情報を出力した後に、受付部１３が受け付けた切断指示に応じて、一の選択対象に対応する回線情報に含まれる回線識別子で識別される無線通信回線を切断するように、無線通信部１４を制御することは好適である。
【００６４】
さらに、通信制御部２０は、フラグ蓄積部１９が蓄積した情報（通常、フラグ）に応じて、無線通信回線を利用可能としたり、利用可能としなかったりすることは好適である。
【００６５】
サーバ装置２を構成するサーバ格納部２１は、１以上の情報を格納し得る。情報は、例えば、第一選択対象情報である。サーバ格納部２１の第一選択対象情報は、回線提供者を識別する回線識別子に対応付けて格納されていても良い。また、情報は、例えば、第二選択対象情報である。また、第二選択対象情報は、回線識別子に対応付けて格納されていても良い。また、サーバ格納部２１は、ユーザが入力し、無線通信装置１から送信された情報（例えば、アンケートの回答等）を格納していても良い。
【００６６】
サーバ受信部２２は、無線通信装置１から情報や指示等を受信する。この情報は、例えば、アンケートに対する回答である。また、情報は、例えば、ユーザ情報である。無線通信装置１から受信される情報は、無線通信装置１を識別するユーザ識別子を有すること、またはユーザ識別子と対応付いていることは好適である。指示は、例えば、情報の送信を要求する指示である送信要求指示である。情報は、例えば、第一選択対象情報または第二選択対象情報である。
【００６７】
サーバ処理部２３は、各種の処理を行なう。処理は、例えば、サーバ受信部２２が受信した情報をサーバ格納部２１に蓄積する処理である。また、処理は、例えば、送信要求指示に応じて、サーバ格納部２１から、送信要求指示に対応する情報を取得する処理である。
【００６８】
サーバ送信部２４は、例えば、サーバ格納部２１に格納されている第一選択対象情報、または第二選択対象情報を、無線通信装置１に送信する。
【００６９】
アクセスポイント３を構成する情報格納部３１は、回線情報を格納し得る。
【００７０】
情報送信部３２は、情報格納部３１に格納されている回線情報を送信する。情報送信部３２は、通常、回線情報をブロードキャストする。そして、回線情報を受信可能な無線通信装置１が、回線情報を受信する。なお、かかる場合も、情報送信部３２は、回線情報を無線通信装置１に送信する、と言える。
【００７１】
情報受信部３３は、無線通信装置１からパスワード等を受信する。情報受信部３３は、無線通信装置１を識別する情報（例えば、ユーザ識別子）をも受信する。
【００７２】
情報処理部３４は、情報受信部３３が受信したパスワード等を用いて認証処理を行なう。そして、認証結果が認証許可である場合、情報処理部３４は、無線通信装置１のデータ通信を可能とする。
【００７３】
なお、情報受信部３３、情報処理部３４の処理は公知技術であるので、詳細な説明を省略する。
【００７４】
ユーザ情報格納部１１、地図情報格納部１２、サーバ格納部２１、および情報格納部３１は、不揮発性の記録媒体が好適であるが、揮発性の記録媒体でも実現可能である。
【００７５】
ユーザ情報格納部１１等にユーザ情報等が記憶される過程は問わない。例えば、記録媒体を介してユーザ情報等がユーザ情報格納部１１等で記憶されるようになってもよく、通信回線等を介して送信されたユーザ情報等がユーザ情報格納部１１等で記憶されるようになってもよく、あるいは、入力デバイスを介して入力されたユーザ情報等がユーザ情報格納部１１等で記憶されるようになってもよい。
【００７６】
回線情報受信部１５、第一受信手段１８１、第二受信手段１８３、およびサーバ受信部２２は、通常、無線通信手段で実現されるが、放送を受信する手段等で実現されても良い。
【００７７】
地図情報出力部１６、選択対象出力部１７、第一出力手段１８２、および第二出力手段１８４は、ディスプレイ等の出力デバイスを含むと考えても含まないと考えても良い。地図情報出力部１６は、出力デバイスのドライバーソフトまたは、出力デバイスのドライバーソフトと出力デバイス等で実現され得る。
【００７８】
処理部１８、フラグ蓄積部１９、およびサーバ処理部２３は、通常、ＭＰＵやメモリ等から実現され得る。処理部１８等の処理手順は、通常、ソフトウェアで実現され、当該ソフトウェアはＲＯＭ等の記録媒体に記録されている。但し、ハードウェア（専用回路）で実現しても良い。
【００７９】
ユーザ情報送信手段１８５、およびサーバ送信部２４は、通常、無線通信手段で実現されるが、放送手段等で実現されても良い。
【００８０】
次に、情報システムの動作について説明する。まず、無線通信装置１の動作について、図３のフローチャートを用いて説明する。
【００８１】
（ステップＳ３０１）回線情報受信部１５は、１以上の回線情報を受信したか否かを判断する。回線情報を受信すればステップＳ３０２に行き、回線情報を受信しなければステップＳ３１１に行く。
【００８２】
（ステップＳ３０２）選択対象出力部１７は、ステップＳ３０１で受信された１以上の回線情報から、１以上の選択対象を取得する。
【００８３】
（ステップＳ３０３）選択対象出力部１７は、ステップＳ３０２で取得した１以上の選択対象を出力する。
【００８４】
（ステップＳ３０４）受付部１３は、ユーザから、一の選択対象の選択を受け付けたか否かを判断する。選択を受け付ければステップＳ３０５に行き、選択を受け付けなければステップＳ３０４に戻る。
【００８５】
（ステップＳ３０５）処理部１８は、フラグを用いて、当該ユーザが無線通信回線を利用可能であるか否かを判断する。利用可能であればステップＳ３０６に行き、利用可能でなければステップＳ３０９に行く。なお、処理部１８は、無線通信装置１の記録媒体からフラグを読み出しても良いし、外部装置（例えば、サーバ装置２）からフラグを取得しても良い。
【００８６】
（ステップＳ３０６）処理部１８は、利益享受処理を行なう。利益享受処理とは、一の選択対象に対応する回線提供者に利益を与える処理である。利益享受処理について、図４のフローチャートを用いて説明する。
【００８７】
（ステップＳ３０７）通信制御部２０は、選択された一の選択対象に対応する回線情報に含まれるパスワードを取得する。
【００８８】
（ステップＳ３０８）通信制御部２０は、ステップＳ３０７で取得したパスワードを用いて、一の選択対象に対応する回線情報に含まれる回線識別子で識別される無線通信回線を用いた無線通信を可能とするように、無線通信部１４を制御する。ステップＳ３０１に戻る。
【００８９】
（ステップＳ３０９）処理部１８は、エラーメッセージを取得し、出力する。なお、エラーメッセージは、回線利用できないことを示すエラーメッセージであり、例えば、処理部１８が予め保持している。
【００９０】
（ステップＳ３１０）受付部１３は、リカバリー指示を受け付けたか否かを判断する。リカバリー指示を受け付ければステップＳ３１２に行き、リカバリー指示を受け付けなければステップＳ３０１に戻る。
【００９１】
（ステップＳ３１１）受付部１３は、切断指示を受け付けたか否かを判断する。切断指示を受け付ければステップＳ３１２に行き、切断指示を受け付けなければステップＳ３１９に行く。
【００９２】
（ステップＳ３１２）処理部１８は、サーバ装置２またはアクセスポイント３に対して、第二選択対象情報の送信を要求する。なお、このサーバ装置２またはアクセスポイント３は、特定の選択対象に対応する第二選択対象情報を格納しているサーバ装置２またはアクセスポイント３である。特定の選択対象とは、最近に選択された一の選択対象または、第二選択対象情報（例えば、アンケート情報）の出力に対してユーザから情報（例えば、アンケートの回答）を得られなかった場合の第二選択対象情報に対応する選択対象である。また、処理部１８は、通常、第二選択対象情報（例えば、アンケート情報）の出力に対してユーザから情報（例えば、アンケートの回答）を得られなかった場合の第二選択対象情報に対応する選択対象を識別する情報（例えば、回線識別子）を保持している。
【００９３】
（ステップＳ３１３）第二受信手段１８３は、一の選択対象に対応する情報である第二選択対象情報を受信したか否かを判断する。選択対象情報を受信すればステップＳ３１４に行き、選択対象情報を受信しなければステップＳ３１３に戻る。
【００９４】
（ステップＳ３１４）第二出力手段１８４は、第二受信手段１８３が受信した第二選択対象情報を出力する。なお、ここで、第二選択対象情報は、通常、アンケートの情報である。アンケートの情報とは、質問を構成する情報を含む。
【００９５】
（ステップＳ３１５）受付部１３は、第二選択対象情報の出力に対応して、情報を受け付けたか否かを判断する。情報を受け付ければステップＳ３１６に行き、情報を受け付けなければステップＳ３１５に戻る。
【００９６】
（ステップＳ３１６）入力情報送信手段１８６は、ステップＳ３１５で受け付けられた情報をサーバ装置２に送信する。
【００９７】
（ステップＳ３１７）フラグ蓄積部１９は、ユーザから情報を受け付けたことを示す情報であるフラグを、図示しない記録媒体に蓄積する。なお、図示しない記録媒体は、フラグ蓄積部１９が保持していても良い。
【００９８】
（ステップＳ３１８）通信制御部２０は、現在、リカバリー中であるか否かを判断する。リカバリー中であればステップＳ３１９に行き、リカバリー中でなければステップＳ３０１に戻る。なお、リカバリー中とは、先に、リカバリー指示を受け付けたか否かにより判断され得る。また、例えば、受付部１３は、ステップＳ３１０でリカバリー指示を受け付けた場合に、図示しない記録媒体にリカバリー中であることを示すフラグを蓄積する。そして、通信制御部２０は、ステップＳ３１８で、当該フラグを削除することは好適である。
【００９９】
（ステップＳ３１９）受付部１３は、地図情報出力指示を受け付けたか否かを判断する。地図情報出力指示を受け付ければステップＳ３２０に行き、地図情報出力指示を受け付けなければステップＳ３２４に行く。
【０１００】
（ステップＳ３２０）地図情報出力部１６は、地図情報格納部１２から地図情報を読み出す。通常、地図情報出力部１６は、現在位置を含む地図情報を読み出す。
【０１０１】
（ステップＳ３２１）地図情報出力部１６は、ステップＳ３２０で読み出した地図情報を出力する。
【０１０２】
（ステップＳ３２２）受付部１３は、領域指示を受け付けたか否かを判断する。領域指示を受け付ければステップＳ３２３に行き、領域指示を受け付けなければステップＳ３２２に戻る。
【０１０３】
（ステップＳ３２３）回線情報受信部１５は、領域指示に含まれる位置情報に対応する１以上のアクセスポイント３から、回線情報を受信する。ここで、回線情報受信部１５は、受信した回線情報のうち、領域指示に含まれる位置情報に対応する１以上のアクセスポイント３から送信された回線情報のみを取得しても良い。ステップＳ３０２に行く。
【０１０４】
（ステップＳ３２４）受付部１３は、指示や情報等を受け付けたか否かを判断する。指示や情報等を受け付ければステップＳ３２５に行き、指示や情報等を受け付けなければステップＳ３０１に戻る。
【０１０５】
（ステップＳ３２５）処理部１８は、ステップＳ３２４で受け付けられた指示や情報等に対応した処理を行う。ステップＳ３０１に戻る。
【０１０６】
なお、図３のフローチャートにおいて、上記の動作を実現するアプリケーション（以下、適宜「アプリ」という。）の起動指示を受付部１３が受け付けてから、ステップＳ３０１の動作を開始しても良い。その場合、ステップＳ３０５の処理は、アプリの起動前に行っても良い。そして、ユーザが無線通信回線を利用可能である場合に、アプリの起動、ＷｉＦｉ等の無線通信手段を起動等することは好適である。
【０１０７】
さらに、図３のフローチャートにおいて、電源オフや処理終了の割り込みにより処理は終了する。
【０１０８】
次に、ステップＳ３０６の利益享受処理について、図４のフローチャートを用いて説明する。
【０１０９】
（ステップＳ４０１）第一受信手段１８１は、一の選択対象に対応する情報である第一選択対象情報を受信する。なお、通常、第一受信手段１８１は、一の選択対象に対応するサーバ装置２またはアクセスポイント３に要求し、第一選択対象情報を受信する。
【０１１０】
（ステップＳ４０２）第一出力手段１８２は、ステップＳ４０１で受信された第一選択対象情報を出力する。
【０１１１】
（ステップＳ４０３）ユーザ情報送信手段１８５は、ユーザ情報格納部１１からユーザ情報を読み出す。
【０１１２】
（ステップＳ４０４）ユーザ情報送信手段１８５は、ステップＳ４０３で読み出したユーザ情報を送信する。上位処理にリターンする。なお、ユーザ情報送信手段１８５は、通常、一の選択対象に対応するサーバ装置２にユーザ情報を送信する。
【０１１３】
なお、図４のフローチャートにおいて、利益享受処理として、第二選択対象情報を受信し、出力等しても良い。
【０１１４】
次に、サーバ装置２の動作について、図５のフローチャートを用いて説明する。
【０１１５】
（ステップＳ５０１）サーバ受信部２２は、無線通信装置１から情報を受信したか否かを判断する。情報を受信すればステップＳ５０２に行き、情報を受信しなければステップＳ５０３に行く。なお、サーバ受信部２２は、通常、情報に対応付けて無線通信装置１のユーザを識別するユーザ識別子をも受信する。
【０１１６】
（ステップＳ５０２）サーバ処理部２３は、サーバ受信部２２が受信した情報をサーバ格納部２１に蓄積する。なお、通常、サーバ処理部２３は、サーバ受信部２２が受信した情報をユーザ識別子と対にして蓄積する。ステップＳ５０１に戻る。
【０１１７】
（ステップＳ５０３）サーバ受信部２２は、無線通信装置１から送信要求指示を受信したか否かを判断する。送信要求指示を受信すればステップＳ５０４に行き、送信要求指示を受信しなければステップＳ５０１に戻る。
【０１１８】
（ステップＳ５０４）サーバ処理部２３は、送信要求指示に対応する情報をサーバ格納部２１から取得する。
【０１１９】
（ステップＳ５０５）サーバ送信部２４は、送信要求指示を送信してきた無線通信装置１に、ステップＳ５０４で取得した情報を送信する。ステップＳ５０１に戻る。
【０１２０】
なお、図５のフローチャートにおいて、電源オフや処理終了の割り込みにより処理は終了する。
【０１２１】
次に、アクセスポイント３の動作について、図６のフローチャートを用いて説明する。
【０１２２】
（ステップＳ６０１）情報送信部３２は、情報格納部３１に格納されている回線情報を取得する。
【０１２３】
（ステップＳ６０２）情報送信部３２は、ステップＳ６０１で取得した回線情報を送信する。
【０１２４】
（ステップＳ６０３）情報受信部３３は、無線通信装置１からパスワード等を受信したか否かを判断する。パスワード等を受信すればステップＳ６０４に行き、パスワード等を受信しなければステップＳ６０２に戻る。
【０１２５】
（ステップＳ６０４）情報処理部３４は、ステップＳ６０３で受信されたパスワード等を用いて認証処理を行なう。
【０１２６】
（ステップＳ６０５）情報処理部３４は、ステップＳ６０４における認証処理の結果が、認証許可であるか否かを判断する。認証許可であればステップＳ６０６に行き、認証許可でなければステップＳ６０１に戻る。
【０１２７】
（ステップＳ６０６）情報処理部３４は、スワード等を送信してきた無線通信装置１が、アクセスポイント３を使用して通信可能とするための処理を行なう。ステップＳ６０１に戻る。
【０１２８】
なお、図６のフローチャートにおいて、電源オフや処理終了の割り込みにより処理は終了する。
【０１２９】
以下、本実施の形態における情報システムの具体的な動作について説明する。情報システムの概念図は図１である。
【０１３０】
今、一のアクセスポイント３の情報格納部３１は、例えば、図７に示す回線情報を格納している。ここでの回線情報は、回線識別子、ＰＷ、選択情報、位置情報、サーバ通信先情報を有する。ＰＷは、当該回線を利用するために入力されるべきパスワードである。また、選択情報は、回線を選択される画面に表示される情報である。位置情報は、回線に対応するアクセスポイント３が存在する位置を示す情報、または店舗が存在する位置を示す情報である。サーバ通信先情報は、サーバ装置２にアクセスするための情報であり、ここでは、ＩＰアドレスである。なお、サーバ通信先情報は、ＵＲＩ、ＵＲＬ、ＭＡＣアドレス等でも良いことは言うまでもない。
【０１３１】
また、サーバ装置２のサーバ格納部２１は、例えば、図８に示す対象情報管理表を保持している。対象情報管理表は、１以上の対象情報を格納し得る。対象情報は、例えば、店舗に関する情報である。また、対象情報は、例えば、アクセスポイント３に関する情報でも良い。また、対象情報は、ここでは、「回線識別子」「回線提供者」「第一選択対象情報」「第二選択対象情報」を有する。「第一選択対象情報」は、ここでは回線提供者の広告情報である。また、「第二選択対象情報」は、ここでは回線提供者に対するアンケートを構成する情報である。「第一選択対象情報」、および「第二選択対象情報」は、ＨＴＭＬ、ＸＭＬ等で記述されていても良いし、画像でも良い。つまり、「第一選択対象情報」、および「第二選択対象情報」のデータ構造は問わない。
【０１３２】
また、サーバ格納部２１は、例えば、図９に示すユーザ利用情報管理表を保持している。ユーザ利用情報管理表は、１以上のユーザ利用情報を格納し得る。ユーザ利用情報は、ユーザの回線の利用状況等に関する情報である。ユーザ利用情報は、「ＩＤ」「氏名」「性別」「年代」「居住地」「趣味」「利用情報」を有する。「ＩＤ」は、ここでは、ユーザを識別するユーザ識別子である。また、「利用情報」は、「店舗利用情報」「全回線利用回数」を有する。「店舗利用情報」は、「店舗ＩＤ」「店舗利用回数」を有する。「店舗ＩＤ」は、回線（アクセスポイント３）を提供している店舗を識別する情報であり、ここでは、回線識別子と同意義である。また、「店舗利用回数」は、対応する店舗（アクセスポイント３）を使用した回数である。「全回線利用回数」は、本サービスによる無線通信回線を利用した回数である。なお、ここでの無線通信は、例えば、ＷｉＦｉによる通信である。
【０１３３】
また、ユーザ「山田Ａ男」の無線通信装置１のユーザ情報格納部１１には、ユーザ情報「ＩＤ：０３５６７７７７，性別：男性，年代：２０〜３０歳，居住地：千葉市，趣味：サッカー、グルメ(ラーメン)」が格納されている、とする。
【０１３４】
かかる状況において、ユーザ「山田Ａ男」は、自分の無線通信装置１に格納されているアプリであり、無線通信回線を無料で利用するためのアプリの起動指示を、無線通信装置１に入力した、とする。
【０１３５】
次に、受付部１３は、当該アプリの起動指示を受け付ける。そして、処理部１８は、無線通信装置１の図示しない記録媒体に格納されているフラグを用いて、当該ユーザ「山田Ａ男」がサービスの利用が可能であるか否かを判断する。なお、ここでのサービスとは、無線通信回線を無料で利用するサービスである。ここで、読み出したフラグは「前回の無線通信回線の利用時に、情報を受け付けた」ことを示すフラグであり、処理部１８は、「山田Ａ男」は、サービスの利用が可能である、と判断した、とする。そして、アプリが起動される。
【０１３６】
次に、無線通信装置１の回線情報受信部１５は、１以上の回線情報を受信する。なお、回線情報の一つは、図７の回線情報である。
【０１３７】
次に、選択対象出力部１７は、受信された１以上の回線情報から、１以上の選択対象を取得する。そして、選択対象出力部１７は、取得した１以上の選択対象を、図１０に示すように、出力する。
【０１３８】
次に、ユーザは、「博多長浜ラーメン  田中商店」の選択対象を選択した、とする。次に、
【０１３９】
次に、処理部１８は、「博多長浜ラーメン  田中商店」に対応する利益享受処理を行なう。つまり、処理部１８は、「博多長浜ラーメン  田中商店」の回線識別子「Ｆ０１２３」を回線情報から取得する。
【０１４０】
次に、処理部１８の第一受信手段１８１は、サーバ通信先情報「１６１．２７．５．１８」を取得する。そして、第一受信手段１８１は、サーバ通信先情報「１６１．２７．５．１８」で識別されるサーバ装置２にアクセスし、回線識別子「Ｆ０１２３」に対応する第一選択対象情報（広告情報）の送信を指示する。
【０１４１】
次に、サーバ通信先情報「１６１．２７．５．１８」で識別されるサーバ装置２のサーバ受信部２２は、回線識別子「Ｆ０１２３」に対応する第一選択対象情報（広告情報）の送信要求の指示を受信する。そして、サーバ送信部２４は、回線識別子「Ｆ０１２３」に対応する第一選択対象情報を、「山田Ａ男」の無線通信装置１に送信する。
【０１４２】
次に、「山田Ａ男」の無線通信装置１の第一受信手段１８１は、「博多長浜ラーメン  田中商店」の第一選択対象情報を受信する。
【０１４３】
次に、第一出力手段１８２は、受信された第一選択対象情報を、図１１のように出力する。図１１において、田中商店の広告情報が出力されている。
【０１４４】
次に、ユーザ「山田Ａ男」は、図１１の画面を見て、「ＧＯ  ＷｉＦｉ」の矢印をクリックした、とする。
【０１４５】
次に、ユーザ情報送信手段１８５は、「山田Ａ男」の無線通信装置１のユーザ情報格納部１１からユーザ情報「ＩＤ：０３５６７７７７，性別：男性，年代：２０〜３０歳，居住地：千葉市，趣味：サッカー、グルメ(ラーメン)」を読み出す。
【０１４６】
そして、例えば、第一出力手段１８２は、図１２に示すように、ユーザ情報を含む画面であり、ユーザ情報のサーバ装置２への送信の許可を得る画面を出力する。なお、第一出力手段１８２は、「山田Ａ男」のＩＤ「０３５６７７７７」をキーとして、サーバ装置２のユーザ利用情報管理表（図９）を検索し、「ＩＤ：０３５６７７７７，性別：男性，年代：２０〜３０歳，居住地：千葉市，趣味：サッカー、グルメ(ラーメン)，お店利用回数：４，ＷｉＦｉ利用回数：１０」を得ても良い。ここで、第一出力手段１８２は、例えば、「店舗ＩＤ：Ｆ０１２３，店舗利用回数：３」を受信し、１、インクリメントし、「お店利用：４回目」を得る。また、第一出力手段１８２は、例えば、「全回線利用回数：９」を受信し、１、インクリメントし、「ＷｉＦｉ利用：１０回目」を得る。
【０１４７】
次に、ユーザ「山田Ａ男」は、図１２の画面を見て、図１２の１２１のボタン（矢印の形状）を押下した、とする。なお、１２１のボタンの押下は、ユーザ情報のサーバ装置２への送信の許可を示す、とする。
【０１４８】
次に、ユーザ情報送信手段１８５は、ユーザ情報「ＩＤ：０３５６７７７７，性別：男性，年代：２０〜３０歳，居住地：千葉市，趣味：サッカー、グルメ(ラーメン)」を、サーバ通信先情報「１６１．２７．５．１８」で識別されるサーバ装置２に送信する。
【０１４９】
次に、当該サーバ装置２のサーバ受信部２２は、「山田Ａ男」のユーザ情報を受信する。そして、サーバ処理部２３は、受信したユーザ情報をサーバ格納部２１に蓄積する。なお、ここで、サーバ処理部２３は、「山田Ａ男」のユーザ情報に含まれる情報であり、図９のユーザ利用情報管理表の「Ｆ０１２３」に対応する店舗利用回数を「４」にし、かつ全回線利用回数を「１０」に更新する。
【０１５０】
次に、通信制御部２０は、選択された一の選択対象に対応する回線情報に含まれるパスワード「０５０５」を取得する。
【０１５１】
次に、通信制御部２０は、取得したパスワード「０５０５」を用いて、選択対象「田中商店」に対応する回線情報に含まれる回線識別子「Ｆ０１２３」で識別される無線通信回線を用いた無線通信を可能とするように、無線通信部１４を制御する。
【０１５２】
そして、回線識別子「Ｆ０１２３」に対応するアクセスポイント３にパスワード「０５０５」等が送信され、当該アクセスポイント３を用いて、無線通信装置１はデータ通信可能となる。
【０１５３】
以上の処理により、ユーザ「山田Ａ男」は、店舗「田中商店」が提供する無線通信回線を無料で利用可能となる。
【０１５４】
次に、ユーザ「山田Ａ男」は、十分に無線通信回線を利用した後、無線通信装置１に切断指示を入力した、とする。
【０１５５】
次に、無線通信装置１の受付部１３は、切断指示を受け付ける。そして、処理部１８は、サーバ通信先情報「１６１．２７．５．１８」で識別されるサーバ装置２に対して、回線識別子「Ｆ０１２３」に対応する第二選択対象情報（ここでは、アンケートの情報）の送信を要求する。
【０１５６】
次に、当該サーバ装置２のサーバ受信部２２は、第二選択対象情報の送信要求指示を受信する。
【０１５７】
次に、サーバ処理部２３は、第二選択対象情報の送信要求指示に従って、回線識別子「Ｆ０１２３」に対応する第二選択対象情報を、図８の対象情報管理表から取得する。
【０１５８】
次に、サーバ送信部２４は、取得された第二選択対象情報を、「山田Ａ男」の無線通信装置１に送信する。
【０１５９】
次に、無線通信装置１の第二受信手段１８３は、第二選択対象情報を受信する。そして、第二出力手段１８４は、図１３に示すように、第二選択対象情報であるアンケート情報を出力する。
【０１６０】
次に、ユーザ「山田Ａ男」は、図１３の画面を見ながら、アンケートの回答を入力する。そして、受付部１３は、アンケートの回答を受け付ける。次に、ユーザ「山田Ａ男」は、アンケートの回答の送信指示を入力する。そして、受付部１３は、アンケートの回答の送信指示を受け付ける。
【０１６１】
そして、入力情報送信手段１８６は、ユーザ「山田Ａ男」を識別するユーザ識別子「０３５６７７７７」と回線識別子「Ｆ０１２３」と共に、アンケートの回答をサーバ装置２に送信する。
【０１６２】
次に、サーバ装置２のサーバ受信部２２は、ユーザ識別子「０３５６７７７７」と回線識別子「Ｆ０１２３」とアンケートの回答とを受信する。
【０１６３】
次に、サーバ処理部２３は、ユーザ識別子「０３５６７７７７」と回線識別子「Ｆ０１２３」とアンケートの回答とをサーバ格納部２１に蓄積する。なお、かかる情報は、アンケート管理表（図１４参照）に格納され得る。また、本データは、アンケート管理表の「ＩＤ＝３２８」のレコードである。また、アンケート管理表は、「ＩＤ」「ユーザ識別子」「回線識別子」「日時」「アンケート回答」を有する。「ＩＤ」はレコードを識別する情報である。また、「日時」はアンケートの回答を受信した日時、またはアンケートの回答が送信された日時である。
【０１６４】
そして、無線通信装置１のフラグ蓄積部１９は、ユーザから情報を受け付けたことを示す情報であるフラグを、図示しない記録媒体に蓄積する。
【０１６５】
多数のユーザが多数の回線を利用することにより以上の処理が繰り返され、多数のアンケートの回答が蓄積される。そして、蓄積されたアンケートの回答は、例えば、回線を提供している店舗に提供され、利用される。
【０１６６】
また、図９のユーザ利用情報管理表は、店舗ＩＤごと、ユーザごと、ユーザ属性（性別、年代、居住地、趣味等）ごと等に統計処理され、利用されても良い。
【０１６７】
さらに、図１４のアンケート管理表も、店舗ごと、ユーザごと、ユーザ属性（性別、年代、居住地、趣味等）ごと等に統計処理され、利用されても良い。
【０１６８】
以上、本実施の形態によれば、無線通信回線を提供する提供者に対して、利益を与えることができる。そのことにより、無線通信回線の利用環境が拡大することが期待できる。
【０１６９】
また、本実施の形態によれば、無線通信回線を利用する際に、ユーザは、パスワードを入力する必要がなく、無線通信回線を容易に利用できる。
【０１７０】
また、本実施の形態によれば、無線通信回線を提供する提供者はユーザ情報を得ることができ、利益を得ることができる。そのことにより、無線通信回線の利用環境が拡大することが期待できる。
【０１７１】
また、本実施の形態によれば、無線通信回線の提供側に、ユーザによるアンケートの回答を提供できる。そのことにより、無線通信回線の利用環境が拡大することが期待できる。
【０１７２】
なお、本実施の形態において、地図上から領域を指定することにより、利用したい回線の候補を選択して出力しても良い。
【０１７３】
さらに、本実施の形態における無線通信装置１等の処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における無線通信装置１を実現するソフトウェアは、以下のようなプログラムである。つまり、このプログラムは、コンピュータを、無線通信回線を用いて通信を行える無線通信部と、無線通信回線に関する情報であり、無線通信回線を識別する回線識別子を有する１または２以上の回線情報を受信する回線情報受信部と、前記回線情報受信部が受信した１以上の各回線情報に対応する１以上の選択対象であり、回線を選択するための１以上の選択対象を出力する選択対象出力部と、前記１以上の選択対象のうちの一の選択対象の選択を受け付ける受付部と、一の選択対象に対応する回線提供者に利益を与える処理を行う処理部と、前記処理部による処理の全部または一部を行った後、前記一の選択対象に対応する回線情報に含まれる回線識別子で識別される無線通信回線を用いた無線通信を可能とするように、前記無線通信部を制御する通信制御部として機能させるためのプログラムである。
【０１７４】
また、上記プログラムにおいて、前記処理部は、前記一の選択対象に対応する情報である第一選択対象情報を受信する第一受信手段と、前記第一受信部が受信した第一選択対象情報を出力する第一出力手段とを具備するものとして、コンピュータを機能させるプログラムであることは好適である。
【０１７５】
また、上記プログラムにおいて、前記回線情報は、当該回線情報が有する回線識別子で識別される無線通信回線を使用可能とするためのパスワードを含み、前記通信制御部は、前記選択された一の選択対象に対応する回線情報に含まれるパスワードを取得し、当該パスワードを用いて、前記一の選択対象に対応する回線情報に含まれる回線識別子で識別される無線通信回線を用いた無線通信を可能とするように、前記無線通信部を制御するものとして、コンピュータを機能させるプログラムであることは好適である。
【０１７６】
また、上記プログラムにおいて、前記受付部は、無線通信回線の切断の指示である切断指示をも受け付け、前記処理部は、前記受付部が切断指示を受け付けた場合に、前記一の選択対象に対応する情報である第二選択対象情報を受信する第二受信手段と、前記第二受信部が受信した第二選択対象情報を出力する第二出力手段とを具備し、前記通信制御部は、前記受付部が受け付けた切断指示に応じて、前記一の選択対象に対応する回線情報に含まれる回線識別子で識別される無線通信回線を切断するように、前記無線通信部を制御するものとして、コンピュータを機能させるプログラムであることは好適である。
【０１７７】
また、上記プログラムにおいて、前記通信制御部は、前記第二出力部が前記第二選択対象情報を出力した後に、前記受付部が受け付けた切断指示に応じて、前記一の選択対象に対応する回線情報に含まれる回線識別子で識別される無線通信回線を切断するように、前記無線通信部を制御するものとして、コンピュータを機能させるプログラムであることは好適である。
【０１７８】
また、上記プログラムにおいて、前記受付部は、ユーザからの情報の入力を受け付け、前記処理部は、
前記第二出力部が前記第二選択対象情報を出力した後に、前記受付部が受け付けた情報をサーバ装置に送信する入力情報送信手段をさらに具備し、ユーザから前記情報を受け付けたこと、またはユーザから前記情報を受け付けていないことを示す情報であるフラグを蓄積するフラグ蓄積部とをさらに具備し、前記通信制御部は、前記フラグ蓄積部が蓄積した情報に応じて、無線通信回線を利用可能としたり、利用可能としなかったりするものとして、コンピュータを機能させるプログラムであることは好適である。
【０１７９】
また、コンピュータがアクセス可能な記録媒体は、ユーザに関する情報であるユーザ情報が格納し得るユーザ情報格納部を具備し、上記プログラムにおいて、前記処理部は、前記受付部が前記一の選択対象の選択を受け付けた後に、前記ユーザ情報を送信するユーザ情報送信手段を具備するものとして、コンピュータを機能させるプログラムであることは好適である。
【０１８０】
また、コンピュータがアクセス可能な記録媒体は、地図情報を格納し得る地図情報格納部を具備し、上記プログラムにおいて、コンピュータを、前記地図情報を出力する地図情報出力部としてさらに機能させ、前記回線情報は、当該回線情報に含まれる回線識別子で識別される回線に対応する位置に関する位置情報を有し、前記受付部は、前記地図情報に対する領域を特定する指示である領域指示をも受け付け、前記選択対象出力部は、前記領域指示に対応する領域に含まれる位置情報を有する１以上の回線情報に対応する１以上の選択対象を出力するものとして、コンピュータを機能させるプログラムであることは好適である。
【０１８１】
また、図１５は、上記プログラムを実行して、上記実施の形態による本発明を実現する無線通信装置１等のコンピュータの内部構成の一例を示す図である。上記実施の形態は、コンピュータハードウェアおよびその上で実行されるコンピュータプログラムによって実現され得る。図７において、コンピュータシステム１０００は、ＭＰＵ１００１と、ブートアッププログラム等のプログラム、およびデータを記憶するためのフラッシュＲＯＭ１００２と、アプリケーションプログラムの命令を一時的に記憶すると共に、一時記憶空間を提供するＲＡＭ１００３と、処理結果を表示するディスプレイ１００４と、ＭＰＵ１００１等を相互に接続するバス１００５とを備える。
【０１８２】
プログラムは、コンピュータシステム１０００に、上記実施の形態による本発明の機能を実行させるオペレーティングシステム（ＯＳ）、またはサードパーティプログラム等を必ずしも含んでいなくても良い。プログラムは、制御された態様で適切な機能（モジュール）を呼び出し、所望の結果が得られるようにする命令の部分のみを含んでいても良い。コンピュータシステム１０００がどのように動作するのかについては周知であり、詳細な説明は省略する。
【０１８３】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０１８４】
また、上記プログラムを実行するコンピュータは、単数であってもよく、複数であってもよい。すなわち、集中処理を行ってもよく、あるいは分散処理を行ってもよい。
【０１８５】
また、上記各実施の形態において、一の装置に存在する２以上の通信手段は、物理的に一の媒体で実現されても良いことは言うまでもない。
【０１８６】
また、上記各実施の形態において、各処理（各機能）は、単一の装置（システム）によって集中処理されることによって実現されてもよく、あるいは、複数の装置によって分散処理されることによって実現されてもよい。
【０１８７】
本発明は、以上の実施の形態に限定されることなく、種々の変更が可能であり、それらも本発明の範囲内に包含されるものであることは言うまでもない。
【産業上の利用可能性】
【０１８８】
以上のように、本発明にかかる無線通信装置は、無線通信回線を提供する提供者に対して、利益を与えることができる、という効果を有し、携帯端末等として有用である。
【符号の説明】
【０１８９】
１  無線通信装置
２  サーバ装置
３  アクセスポイント
１１  ユーザ情報格納部
１２  地図情報格納部
１３  受付部
１４  無線通信部
１５  回線情報受信部
１６  地図情報出力部
１７  選択対象出力部
１８  処理部
１９  フラグ蓄積部
２０  通信制御部
２１  サーバ格納部
２２  サーバ受信部
２３  サーバ処理部
２４  サーバ送信部
３１  情報格納部
３２  情報送信部
３３  情報受信部
３４  情報処理部
１８１  第一受信手段
１８２  第一出力手段
１８３  第二受信手段
１８４  第二出力手段
１８５  ユーザ情報送信手段
１８６  入力情報送信手段
【図１】
2015032187.tif 000003
【図２】
2015032187.tif 000004
【図３】
2015032187.tif 000005
【図４】
2015032187.tif 000006
【図５】
2015032187.tif 000007
【図６】
2015032187.tif 000008
【図７】
2015032187.tif 000009
【図９】
2015032187.tif 000010
【図１０】
2015032187.tif 000011
【図１２】
2015032187.tif 000012
【図１３】
2015032187.tif 000013
【図１４】
2015032187.tif 000014
【図１５】
2015032187.tif 000015
【図８】
2015032187.tif 000016
【図１１】
2015032187.tif 000017